(57)【特許請求の範囲】
【請求項１】
洗濯又は食器洗浄用組成物であって、以下：
式Ｉ：
【化１】
0006396907.tif 000016
を有する３級アミン置換セルロース誘導体であって、
式中、ｎは、１，５００，０００〜２，０００，０００の重量平均分子量（Ｍｗ）を有するポリマーを作製するのに十分な整数であり；
Ｒ１は、各出現で独立して、Ｈ、−ＣＨ３、又は−ＣＨ２ＣＨ２Ｏ−Ｒ２であり；そして
Ｒ２は、各出現で独立して、Ｈ、ＣＨ３、又はＲ３Ｎ（Ｒ４）２若しくはその塩であり、ここで：
Ｒ３は、Ｃ１−６アルキレンであり；
Ｒ４は、各出現で独立してＣ１−６アルキルであるか、又はＲ４基はどちらも、それらが結合する窒素と共に、飽和又は不飽和５員又は６員複素環を形成してもよく、
但し、ポリマー中少なくとも１つのＲ１は、Ｒ３Ｎ（Ｒ４）２基である、３級アミン置換セルロース誘導体；
少なくとも１つの界面活性物質；及び
ビルダー；
を含有し、
前記Ｒ３Ｎ（Ｒ４）２基は永続的に荷電された四級アミンではなく、前記式Ｉの３級アミン置換セルロース誘導体は、１分子当たりのＲ３Ｎ（Ｒ４）２基の３級アミン置換度（ＤＳamine）が０．１〜０．４である、
洗濯又は食器洗浄用組成物。
【請求項２】
Ｒ３が、各出現においてエチレンである、請求項１記載の洗濯又は食器洗浄用組成物。
【請求項３】
前記３級アミン置換セルロース誘導体が、Ｎ，Ｎ−ジエチルアミノエチルヒドロキシエチルセルロース、Ｎ，Ｎ−ジメチルアミノエチルヒドロキシエチルセルロース、Ｎ，Ｎ−ジイソプロピルアミノエチルヒドロキシエチルセルロース、Ｎ，Ｎ−ジメチルアミノプロピルヒドロキシエチルセルロース、Ｎ−エチルピペリジンヒドロキシエチルセルロース、Ｎ−エチルモルホリンヒドロキシエチルセルロース、又はＮ−エチルピロリジンヒドロキシエチルセルロースの少なくとも１つである、請求項１記載の洗濯又は食器洗浄用組成物。
【請求項４】
前記界面活性物質が、直鎖アルキルベンゼンスルホン酸、ナトリウムアルコールエトキシレート硫酸、直鎖アルキルベンゼンスルホン酸とナトリウムアルコールエトキシレート硫酸との混合物、非イオンアルコールエトキシレート、又はそれらの混合物である、請求項１記載の洗濯又は食器洗浄用組成物。
【請求項５】
無機ビルダー／錯化剤、ソーダ灰、漂白剤、及び／又は漂白活性化剤の１つ以上をさらに含む、請求項１記載の洗濯又は食器洗浄用組成物。
【請求項６】
ポリエチレングリコール、デンプン、又は粘土の１つ以上をさらに含む、請求項１記載の洗濯又は食器洗浄用組成物。
【発明の詳細な説明】
【技術分野】
【０００１】
関連出願への相互参照
本出願は、その全体が参照によって本明細書に組み込まれる、２０１２年９月２８日出願の米国仮出願第６１／７０７，３０６号による優先権を主張するものである。
【０００２】
本出願は、洗濯及び食器洗浄用組成物を含む、生地及び表面処理組成物に関する。
【背景技術】
【０００３】
ＰＱ−１０、ＰＱ−２４、及びＰＱ−６７等のポリクオタニウムは４級化セルロース誘導体である。４級化セルロース誘導体の陽性荷電は陰イオン性の木綿上に結合するため洗濯に有用であり、軟化、改善した沈着、のり付け、又は他の従来の利益を提供する。同様に、４級化セルロース誘導体は食器洗浄に有用であり、皮膚への利益、泡の増強、又は他の従来の利益を提供する。しかしながら、ポリクオタニウムにはいくつかの欠点がある場合がある。例えば、ポリクオタニウム−１０の製造及び貯蔵による通常の副生産物はトリメチルアミンであり、これは遮蔽すべき望ましくない臭いを有しており、例えば常に無香料の組成物であることができるというわけではない。
【０００４】
これまで、ポリクオタニウムはその溶液のｐＨとは関係なく永続的に荷電しているために優れていると考えられていたので、３級アミンは生地及び表面処理組成物に使用されてはこなかった。
【０００５】
たとえ性能又は所望の特質におけるわずかな改善であっても、望ましい特質を有する新規の薬剤を開発することを目指す技術に注目することが重要である。
【発明を実施するための形態】
【０００６】
一実施形態において、本発明は３級アミン置換セルロース誘導体及び少なくとも１つの界面活性物質を含む、生地及び表面処理組成物を提供する。
【０００７】
セルロースは、βアノマー配置によりそれらの１、４位を通じて連鎖した無水グルコース単糖類単位からなる、直鎖、非分枝多糖類であると理解される。ヒドロキシル基の（２、３、又は６位での）置換はセルロース誘導体を産生する。一般的な置換として、メチル（メチルセルロース）、エチル（エチルセルロース）、エトキシ（ヒドロキシエチルセルロース）、イソプロピルオキシ（ヒドロキシプロピルセルロース）、及びヒドロキシプロピルメチルセルロース等のそれらの混合物が挙げられる。ヒドロキシル置換の理論的な限界は３つである。無水グルコース単位が皆同様に置換されるわけではないため、無水グルコース単位１つにつき置換されるヒドロキシル基の平均数は置換度と呼ばれ、すなわち、ポリマー鎖全体にわたる平均値である。
【０００８】
置換基の末端ヒドロキシル基を４級アミンでさらに置換して（例えば、グリシジルトリメチルアンモニウムクロリド又は３−クロロ−２−ヒドロキシプロピルトリメチルアンモニウムクロリドのいずれかを有する、アルキル化ヒドロキシエチルセルロースによる）、永久陽イオン性セルロース誘導体（ポリクオタニウム、ＰＱ−１０、ＰＱ−２４、及びＰＱ−６７を含む）を形成してもよい。対照的に、３級アミン置換セルロース誘導体は永続的に荷電されない；すなわち、３級アミン上の電荷はｐＨ依存である。一実施形態において、３級アミン置換セルロース誘導体はＮ，Ｎ−ジエチルアミノエチルクロリド塩酸塩をヒドロキシエチルセルロースへ添加することによって調製されるが、他のセルロース誘導体も同様に考慮される。
【０００９】
一実施形態において、本発明は、式（Ｉ）：
【化１】
0006396907.tif 000002
を有する３級アミン置換セルロース誘導体を提供し、
式中、ｎは、約５０，０００〜２，０００，０００の範囲で重量平均分子量（Ｍｗ）を有するポリマーを作製するのに十分な整数であり；
Ｒ１は、各出現で独立して、Ｈ、−ＣＨ３、又は−ＣＨ２ＣＨ２Ｏ−Ｒ２であり；そして
Ｒ２は、各出現で独立して、Ｈ、ＣＨ３、又はＲ３Ｎ（Ｒ４）２若しくはその塩であり、ここで：
Ｒ３は、Ｃ１−６アルキレンであり；
Ｒ４は、各出現で独立してＣ１−６アルキルであるか、又はＲ４基はどちらも、それらが結合する窒素と共に、飽和又は不飽和５員又は６員複素環を形成してもよく、
但し、ポリマー中少なくとも１つのＲ１は、Ｒ３Ｎ（Ｒ４）２基を含有する。
【００１０】
用語「アルキレン」とは、非限定的な例がエチレンである、ジラジカルアルキル基を指す。「複素環式」とは、指定された数の炭素原子、並びにＮ及びＯから選択された少なくとも１つのヘテロ原子を含有する環を指し、該環は飽和又は不飽和であるが、芳香族ではない。非限定的な例として、モルホリニル、ピペリジニル、及びピロリジニルが挙げられる。
【００１１】
別段に指定されない限り、全てのラジカルは置換されていてもよい実施形態を含む。「置換されていてもよい」とは、ヒドロキシル、アルコキシ、カルボキシ、ニトロ、アミノ、アミド、ハロ、又はＣ１−３アルキルに関する。
【００１２】
別段に示されない限り、例えば「２〜１０」にあるような数値の範囲は、範囲を定義する数（例えば、２及び１０）を包括する。
【００１３】
したがって、例えば式Ｉは、Ｒ３（Ｃ１−６アルキレン）を−ＣＨ２ＣＨ（ＯＨ）ＣＨ２−及び−ＣＨ２ＣＨ（ＯＨ）−として特異的に考慮する。式ＩのＲ３部分は概して、３級アミン（Ｎ（Ｒ４）２又はその塩（例えば、Ｎ＋（Ｒ４）２Ｈ）の残部をセルロースエーテルに結合するための、架橋又は係留であると考えられている。Ｒ３の例として、−ＣＨ２−、−ＣＨ２ＣＨ２−、及び−ＣＨ２−ＣＨ（ＣＨ３）−が挙げられる。
【００１４】
好ましい実施形態において、Ｒ１は、Ｈ又は−ＣＨ２ＣＨ２Ｏ−Ｒ２である。好ましいセルロース誘導体はヒドロキシエチルセルロースである。
【００１５】
好ましい実施形態において、Ｒ３は、−ＣＨ２ＣＨ２−又は−ＣＨ２ＣＨ（ＯＨ）ＣＨ２−である。
【００１６】
好ましい実施形態において、Ｒ４は独立して、ＣＨ３又はＣＨ２ＣＨ３である。
【００１７】
一実施形態において、ケルダール窒素含有量は、約０．０２％〜約７．５％、好ましくは約０．１％〜約５％、最も好ましくは約０．２％〜約３％である。
【００１８】
一実施形態において、式Ｉの置換セルロース誘導体は、少なくとも０．１、あるいは少なくとも０．３の置換度（「ＤＳ」）を有する。いくつかの実施形態において、置換度は１未満、あるいは０．６以下、又はあるいは０．４以下である。いくつかの実施形態において、置換度は０．１〜０．４である。本明細書において、ＤＳは、ポリマーバックボーン中における無水グルコース反復単位の１モルあたりのＲ３Ｎ（Ｒ４）２基のモル数を指す。１ＤＳとは、（平均で）各反復無水グルコース単位が１つのＲ３Ｎ（Ｒ４）２基置換基を有することを示す。ＤＳはケルダール窒素分析から決定される。ＤＳ測定は、ポリマーバックボーン中のどこで置換が発生するかを予測するものではない。
【００１９】
いくつかの実施形態において、式Ｉの置換セルロース誘導体は、少なくとも３００，０００ダルトン、あるいは少なくとも４００，０００ダルトン、あるいは少なくとも１，０００，０００ダルトン、又はあるいは少なくとも１，５００，０００ダルトンの範囲の重量平均分子量（Ｍｗ）を有する。いくつかの実施形態において、重量平均分子量は約１，５００，０００〜約２，０００，０００である。いくつかの実施形態において、重量平均分子量は約１，６００，０００である。
【００２０】
本発明のヒドロキシエチルセルロースの実施形態の非限定的な例として、Ｎ，Ｎ−ジエチルアミノエチルヒドロキシエチルセルロース、Ｎ，Ｎ−ジメチルアミノエチルヒドロキシエチルセルロース、Ｎ，Ｎ−ジイソプロピルアミノエチルヒドロキシエチルセルロース、Ｎ，Ｎ−ジメチルアミノプロピルヒドロキシエチルセルロース、Ｎ−エチルピペリジンヒドロキシエチルセルロース、Ｎ−エチルモルホリンヒドロキシエチルセルロース、及びＮ−エチルピロリジンヒドロキシエチルセルロースが挙げられる。
【００２１】
界面活性物質は、陽イオン性、陰イオン性、非イオン性、若しくは両性界面活性物質、又はそれらの混合物であってもよい。一実施形態において、界面活性物質は直鎖アルキルベンゼンスルホン酸である。一実施形態において、界面活性物質はナトリウムアルコールエトキシレート硫酸である。一実施形態において、界面活性物質は直鎖アルキルベンゼンスルホン酸とナトリウムアルコールエトキシレート硫酸との混合物である。一実施形態において、界面活性物質は、アルコールエトキシレート等の非イオン界面活性物質である。
【００２２】
本発明の組成物は、非限定的に、溶媒（例えば、エタノール）、ビルダー、錯化剤、界面活性物質、ヒドロトロープ、共溶媒、補助剤、充填剤（例えば、無機充填剤）、ソーダ灰、漂白剤、漂白活性化剤、及び同様のものを含む、当業者に既知の様々な随意の成分を含有していてもよい。
【００２３】
一実施形態において、生地及び表面処理組成物は液体である。好ましい実施形態において、生地及び表面処理組成物はエタノール及び／又はプロピレングリコールをさらに含む。一実施形態において、生地及び表面処理組成物はキシレンスルホン酸ナトリウムをさらに含む。
【００２４】
好ましい実施形態において、生地及び表面処理組成物は、粉末洗濯用洗剤、粉末洗濯用洗剤、洗浄液、又は食器洗い用配合物である。使用に際して、生地及び表面処理組成物は織物又は食器を含む硬表面に適用される。
【００２５】
一実施形態において、生地及び表面処理組成物は「減少した香り」を有する洗濯用洗剤であり、３級アミン置換セルロース誘導体が４級化セルロース誘導体と置換される同様の配合物と比較して、訓練されたパネリストにより判定された減少した香りとして定義される。
【００２６】
一実施形態において、生地及び表面処理組成物は洗濯用芳香増強剤である。洗濯用芳香増強剤配合物に含まれていてもよい更なる随意の添加物として、例えば、ポリエチレングリコール、デンプン、又は粘土のうち１つ以上が挙げられる。
【００２７】
一実施形態において、生地及び表面処理組成物は「改善した肌触り」を有する手洗い用食器用洗剤であり、３級アミン置換セルロース誘導体が４級化セルロース誘導体と置換される同様の配合物と比較して、訓練されたパネリストによって美容的に優れていると評価され定義される。
【００２８】
当業者は、あらゆる特定の配合物中に存在するであろう、式Ｉの３級アミン置換セルロース誘導体及び界面活性物質の相対量を、過度に実験をすることなく容易に判定することができる。例として、適切な配合物は、３級アミン置換セルロース誘導体及び界面活性物質の総重量に基づく０．０５〜２．０重量パーセントの３級アミン置換セルロース誘導体を含有し得る。
【００２９】
以下の実施例は例証のみを目的とし、本発明の範囲を限定するようには意図していない。全てのパーセンテージは、別段に指定されない限り重量パーセントである。
【００３０】
合成例
第３級アミノ修飾セルロース誘導体を、以下の基本手順を使用して調製する。使用した出発物質は、各々ＣＥＬＬＯＳＩＺＥ  ＨＥＣ  Ａ、Ｂ、及びＣと命名された、低分子量、中分子量、及び高分子量の市販のＣＥＬＬＯＳＩＺＥヒドロキシエチルセルロース（ＨＥＣ）生成物である。これら市販のＣＥＬＬＯＳＩＺＥ  ＨＥＣ生産物の重量平均分子量（Ｍｗ）を表１に示し、分子ふるいクロマトグラフィー及び低角度レーザー光散乱検出器を用いて判定した。
【実施例】
【００３１】
実施例１
５００ｍｌ、四ツ口、丸底のフラスコを、２８．３６ｇ（２５．００ｇ含有）のＣＥＬＬＯＳＩＺＥ  ＨＥＣ  Ａ、５．４４ｇの２−クロロ−Ｎ，Ｎ−ジエチルエチルアミン塩酸塩（Ｎ，Ｎ−塩化ジエチルアミノエチル塩酸塩、ＤＥＡＥＣ−ＨＣｌとしても知られる）、１２９ｇのイソプロピルアルコール、及び２１ｇの蒸留水で充填する。丸底フラスコに、撹拌パドル及びモーター、窒素入口、鉱油バブラーに接続された還流冷却器、表面下サーモカップル、及びゴム製セラムキャップを取り付けた。スラリーを撹拌し、窒素で約１時間パージする。
【００３２】
窒素下において撹拌しながら、１０．９８ｇの２５％水酸化ナトリウム水溶液（２５％ＮａＯＨ）を１分かけてプラスチック注射器を用いてスラリーに添加する。添加が完了した後、混合物を１５分間撹拌し、次いで加熱マントル、Ｊ−ＫＥＭ温度調節器、及びサーモカップルを用いて、スラリーを加熱する。スラリーを４０℃で２時間保持し、次いで室温まで冷却し、５．００ｇの氷酢酸を添加して中和した後、約１５分間撹拌する。
【００３３】
得られたポリマーを減圧ろ過によってブーフナー漏斗を通じて回収し、ワーリングブレンダーを洗浄した：３００ｍｌのアセトンと７０ｍｌの蒸留水との混合物で５回、及び４００ｍｌの純粋なアセトンで２回。ポリマーを最後の乾燥ステップ（２回目の純アセトン洗浄）にて１．０ｇの４０％グリオキサール及び０．２ｇの氷酢酸を添加することによってグリオキサール処理してもよい。ポリマーを真空中で一晩、５０℃にて乾燥する。
【００３４】
最終生産物を、揮発性（７．１％）及び灰分（２．１％、酢酸ナトリウムとして算出）についてＡＳＴＭ  Ｄ−２３６４に記載の方法を用いて評価する。ケルダール窒素含有量（灰分及び揮発性を補正）は０．８５％であると分かる。
【００３５】
実施例２〜６
実施例１に記載の手順と実質的に同じ手順を用いて、試薬中の適切な代用物及び所望の量を作製する間、表１及び表２に示す実施例２〜６の物質を調製してもよい。
【００３６】
【表１】
0006396907.tif 000003
【００３７】
【表２】
0006396907.tif 000004
【００３８】
実施例８．洗濯における試験
４種の生地（テリー木綿、両面編み木綿、平織り木綿、及びポリエステル／木綿混紡）を、本発明の３級アミン置換セルロース誘導体（洗浄液中に芳香増強パッケージの一部（Ｐｕｒｅｘ  Ｃｒｙｓｔａｌｓを有する）として導入される）を有する、及び有しないＰｕｒｅｘ  Ｆｒｅｅ  Ｃｌｅａｒ又はＴｉｄｅ液体洗剤で洗濯する。ポリマーをＰｕｒｅｘ  Ｃｒｙｓｔａｌｓの用量の１％（又は０．００４７グラム／リットル）で添加する。生地を、典型的な洗浄条件（冷水洗浄、低度／中度の水の硬度、１２分洗浄、及び３分すすぎ）下において、標準的な洗剤の用量（０．８８グラム／リットル）及び追加汚れ負荷（２．５グラム／リットルの２５％スラリー）として橙色（高鉄含有）２５％固形粘土スラリーを用いて洗濯する。衣服は３回の連続するサイクルで洗濯し、白色度を４６０ｎｍにてＨｕｎｔｅｒ  Ｃｏｌｏｒｉｍｅｔｅｒを利用して測定し、生地の白色度を記録する。データは、Ｐｕｒｅｘ  Ｆｒｅｅ  Ｃｌｅａｒ液体洗剤について表３〜５中に、Ｔｉｄｅ液について表６に記載する。素の未洗浄生地について白色度を表中に示し（正の対照）、内部標準もまた洗剤素地（Ｐｕｒｅｘ／Ｔｉｄｅ）、及びＰｕｒｅｘ  Ｃｒｙｓｔａｌｓを有する洗剤素地について実施する。非誘導体化（ｎｏｎ−ｄｅｒｉｖｉｔｉｚｅｄ）ＨＥＣ（比較物質）もまた含まれ、生地白色度維持において本発明に準じる誘導体化ヒドロキシエチルセルロースの影響を示す。
【００３９】
【表３】
0006396907.tif 000005
【００４０】
【表４】
0006396907.tif 000006
【００４１】
【表５】
0006396907.tif 000007
【００４２】
【表６】
0006396907.tif 000008
【００４３】
表３〜６中のデータから、本発明の３級アミン置換セルロース誘導体、特により高い分子量骨格ＤＥＡＥ誘導体のもの（例えば、実施例５及び６））は、改善した抗灰色化特性を、それらのより低い分子量の対応物に対してＰｕｒｅｘ  Ｆｒｅｅ  Ｃｌｅａｒ及びＴｉｄｅ液体洗剤の両方で送達することが明らかになる。
【００４４】
実施例９
表１Ａ〜１Ｂに列挙される成分を含有する例示的な手洗い用食器洗浄組成物は、重量／重量基準（重量％）の範囲で発現する。
【００４５】
【表１Ａ】
0006396907.tif 000009
【００４６】
【表１Ｂ】
0006396907.tif 000010
【００４７】
手洗い用食器洗浄組成物を、当業者に周知である従来の混合技術で調製する。
【００４８】
実施例１０
表２Ａ〜２Ｂに列挙される成分を含有する例示的な粉末洗濯用組成物は、重量／重量基準（重量％）の範囲で発現する。
【００４９】
【表２Ａ】
0006396907.tif 000011
【００５０】
【表２Ｂ】
0006396907.tif 000012
【００５１】
粉末洗濯用組成物を、当業者に周知である従来の混合技術で調製する。
【００５２】
実施例１１
表３Ａ〜３Ｂに列挙する成分を含有する例示的な液体洗濯用組成物は、重量／重量基準（重量％）の範囲で発現する。
【００５３】
【表３Ａ】
0006396907.tif 000013
【００５４】
【表３Ｂ】
0006396907.tif 000014
【００５５】
液体洗濯用組成物を、当業者に周知である従来の混合技術で調製する。
【００５６】
本発明の実施形態は、随意の成分のあらゆる組み合わせを含有してもよいか、又は添付の特許請求の範囲における、ビルダー、錯化剤、界面活性物質、共溶媒、補助剤、及び同様のもの等よりも一般的な用語で示されてもよい。
以下に、本願発明に関連する発明の実施形態を例示する。
［実施形態１］
生地及び表面処理組成物であって、以下：
式Ｉ：
【化２】
0006396907.tif 000015
を有する３級アミン置換セルロース誘導体を含み、
式中、ｎは、約５０，０００〜２，０００，０００の範囲で重量平均分子量（Ｍｗ）を有するポリマーを作製するのに十分な整数であり；
Ｒ１は、各出現で独立して、Ｈ、−ＣＨ３、又は−ＣＨ２ＣＨ２Ｏ−Ｒ２であり；そして
Ｒ２は、各出現で独立して、Ｈ、ＣＨ３、又はＲ３Ｎ（Ｒ４）２若しくはその塩であり、ここで：
Ｒ３は、Ｃ１−６アルキレンであり；
Ｒ４は、各出現で独立してＣ１−６アルキルであるか、又はＲ４基はどちらも、それらが結合する窒素と共に、飽和又は不飽和５員又は６員複素環を形成してもよく、
但し、ポリマー中少なくとも１つのＲ１は、Ｒ３Ｎ（Ｒ４）２基であり、及び
少なくとも１つの界面活性物質を含有する、生地及び表面処理組成物。
［実施形態２］
Ｒ３が、各出現においてエチレンである、実施形態１記載の生地及び表面処理組成物。
［実施形態３］
前記３級アミン置換セルロース誘導体が、Ｎ，Ｎ−ジエチルアミノエチルヒドロキシエチルセルロース、Ｎ，Ｎ−ジメチルアミノエチルヒドロキシエチルセルロース、Ｎ，Ｎ−ジイソプロピルアミノエチルヒドロキシエチルセルロース、Ｎ，Ｎ−ジメチルアミノプロピルヒドロキシエチルセルロース、Ｎ−エチルピペリジンヒドロキシエチルセルロース、Ｎ−エチルモルホリンヒドロキシエチルセルロース、又はＮ−エチルピロリジンヒドロキシエチルセルロースの少なくとも１つである、実施形態１記載の生地及び表面処理組成物。
［実施形態４］
前記界面活性物質が、直鎖アルキルベンゼンスルホン酸、ナトリウムアルコールエトキシレート硫酸、直鎖アルキルベンゼンスルホン酸とナトリウムアルコールエトキシレート硫酸との混合物、非イオンアルコールエトキシレート、又はそれらの混合物である、実施形態１記載の生地及び表面処理組成物。
［実施形態５］
前記生地及び表面処理組成物が、減少した香りを有する洗濯用洗剤又は洗濯用芳香増強剤である、実施形態１記載の生地及び表面処理組成物。
［実施形態６］
前記生地及び表面処理組成物が、改善した肌触りを有する手動／手洗い用食器用洗剤である、実施形態１記載の生地及び表面処理組成物。
［実施形態７］
無機ビルダー／錯化剤、ソーダ灰、漂白剤、及び／又は漂白活性化剤の１つ以上をさらに含む、実施形態１記載の生地及び表面処理組成物。
［実施形態８］
前記生地及び表面処理組成物が、洗濯用芳香増強剤である、実施形態１記載の生地及び表面処理組成物。
［実施形態９］
ポリエチレングリコール、デンプン、又は粘土の１つ以上をさらに含む、実施形態８記載の生地及び表面処理組成物。